【事件の表示】
　平成１１年特許願第１０３３４８号「遊技機」拒絶査定不服審判事件〔平成１２年１１月１４日出願公開、特開２０００−３１２７６５〕について、次のとおり審決する。
【結　論】
　本件審判の請求は、成り立たない。
【理　由】
１．手続の経緯・本願発明
　本件出願は、特許法第４１条に基づく優先権主張を伴う平成１１年４月９日（優先日：平成１１年３月４日、出願番号：特願平１１−０５６４０９号）の出願であって、その請求項１乃至４に係る発明は、平成１５年３月２６日付けの手続補正書により補正された明細書および図面の記載からみて、その特許請求の範囲の請求項１乃至４に記載されたとおりのものと認められるところ、その請求項１に係る発明（以下、「本願発明」という。）は、その特許請求の範囲の請求項１に記載された次の事項により特定されるとおりのものと認める。
　
　「遊技球が入球する入球口をさらに拡大する電気的駆動手段を含む電動役物と、
　該入球口に入球する遊技球を検知する検知手段と、
　を少なくとも備えた遊技機において、
　前記電気的駆動手段が駆動されている間、駆動されていることを知らせる駆動信号を出力するための駆動信号出力用接続端子と、
　前記検知手段による検知信号を出力するための検知信号出力用接続端子と、
　前記駆動信号出力用接続端子及び検知信号出力用接続端子とが固定された外部接続端子基板と、
　を備えたことを特徴とする遊技機。」
　　
２．引用例
　これに対して、原査定の拒絶の理由に引用され本件出願前に日本国内において頒布された刊行物である特開平７−３１３６８４号公報（以下「引用例１」という。）には、図面とともに、
　「パチンコ玉の入賞を受け付ける始動入賞部と、
パチンコ玉の入賞しやすさを変更可能に構成された変動入賞部と、
予め用意された複数種類の絵柄を備え、表示絵柄が変動し該変動に伴って上記絵柄のうちいのいずれかが順次表示される絵柄表示桁を複数個備え、上記始動入賞部へのパチンコ玉の入賞を契機として上記絵柄の変動が開始され、ある不特定な量だけ変動した後、変動が停止される変動表示部と、
上記絵柄の変動が停止された時に上記変動表示部に表示されている絵柄（以下”停止絵柄”という）と一定の対応関係をもって、上記変動入賞部の入賞のしやすさを変更させる（以下”当たり／はずれ処理”という）制御手段と、を備え、
上記変動入賞部は、複数個が設けられていること、
を特徴とするパチンコ装置。」（特許請求の範囲、【請求項１】）、
　「上記制御手段は、上記当たり／はずれ処理の非実行状態においては、上記変動入賞部へのパチンコ玉の入賞を契機として、当該変動入賞部の入賞し易さを変更させるものである・・・パチンコ装置。」（特許請求の範囲、【請求項３】）、
　「・・・、パチンコ店には、店全体規模でのパチンコ玉管理システムが設けられている。アウト玉回収機構や入賞玉回収機構によって回収されたパチンコ玉は、一旦、該パチンコ玉管理システムに戻され、その後、再び、貯留部４への払い出しや、玉の貸し出しに用いられる。」（段落【００１１】）、
　「【発明が解決しようとする課題】・・・、パチンコ業界では、遊技者に飽きられないように、各社が知恵を絞って、・・・様々なタイプのパチンコ装置を開発してきた。例えば、当たり状態をより多段階にわけて設定すること等によって、遊技をより複雑化することが行われてきた。しかし、当たり状態を多段階に設定すると、遊技者が、当たり状態を判別しにくいという新たな問題が生じた。」（段落【００１７】）、
　「また、・・・デジタル式のパチンコ装置が登場して以来、パチンコ装置のデザインは、・・・、総じて画一的なものとなっている。例えば、遊技盤２の中央に３桁表示のデジタル式の変動表示部２１を設けるという点は、ほぼすべての機種において共通の構成となっている。また、遊技盤の下側位置に、開口部２２３２が大きく、蓋２２３１を備えた特別変動入賞部を設けるという点も多くの機種において共通している。遊技盤２や変動表示部２１等のデザインは、遊技者を引き付けるための大きな要素であるため、外見上、遊技者に強くアピールする特徴点がなく、デザイン的に他社との差別化が十分に図られていないということは、パチンコ装置の製造業者にとって大きな問題であった。・・・。」（段落【００１８】）、
　「・・・パチンコ装置１は、外観は、遊技板２と、該遊技板２内にパチンコ玉を送り出す発射装置３と、パチンコ玉を溜めておく貯留部４と、から主に構成されている。」（段落【００３３】）、
　「・・・遊技板２には、・・・ガイドレール２０ａ，２０ｂが設けられている。・・・、ガイドレール２０ａよりも右側の領域が、パチンコ玉による実質的な遊技が行われる部分である（以下”遊技部”という）。該遊技部の各所には、パチンコ玉の入る入賞孔を備えた、通常入賞部２２０，変動入賞部２２１，始動入賞部２２２が設けられている（以下、これらを総称して”入賞部２２”という）。上方から落下してきたパチンコ玉が、いずれかの入賞部２２の入賞孔に入ると、各入賞部２２ごとに定められた個数のパチンコ玉が、貯留部４に払い出される。」（段落【００３５】）、
　「変動入賞部２２１は、遊技部２の中央やや下より位置に、５個が左右に並べて配置され・・・、入賞しにくい形態（図２（ａ）参照）と、入賞しやすい形態（図２（ｂ）参照）と、の二つの異なる形態をとることができ、適宜その形態が遷移する。・・・、入賞しにくい形態から入賞しやすい形態へ遷移することを、”開く”と表現する場合がある。また、入賞しやすい形態から、入賞しにくい形態に遷移することを、”閉じる”と表現することがある。入賞しにくい形態での、入賞のしやすさは、・・・通常入賞部２２０とほぼ等しいものとされている。入賞しやすい形態では、変動入賞部２２１の左右壁部が、その下端部に設けられた軸を中心として回動して外側に開き、”翼”を開いたようになっている。そして、この”翼”上に到達したパチンコ玉は、該翼によって、変動入賞部２２１内に設置されている入賞孔に導かれる。つまり、該翼の長さ分だけ、入賞しやすくなっている。・・・。」（段落【００３７】）、
　「本実施例においては、通常は、該形態の変更を、パチンコ玉が一つ入賞する毎に行っている。該形態の変更は、図示しないソレノイドによって、行われるものである。従って、・・・制御部６から指令を送ることによって、適宜、所望の変動入賞部｛「変動表示部」は、間違いと認められ、当審で訂正する。｝２２１を、それぞれ独立的に、所望のタイミング、期間、回数だけ、入賞しやすい状態にすることができる構成となっている。そのため、本実施例では、変動表示部２１によって決定される”当たり状態”に応じて、すべての変動入賞部２２１が、一斉に、予め定められたタイミング、期間、回数だけ、入賞しやすい状態とする（当たり／はずれ処理）ように構成されている。・・・。」（段落【００３８】）、
　「変動入賞部２２１は、このようにして決定された期間が経過する以前であっても、あらかじめ定められた個数分だけの入賞があった場合には、すべての変動入賞部２２１が一斉に閉じるように（入賞しにくい状態に戻るように）されている。ここでいう予め定められた個数とは、変動入賞部２２１ａ，ｂ，ｃ，ｄ，ｅ全体での合計入賞数である。ただし、該予め定められた個数を各変動入賞部２２１ごとに計数し、閉じるのも、該個数に達した変動入賞部２２１のみを閉じるようにすることも可能である。」（段落【００３９】）、
　「・・・、アウト玉回収機構や入賞玉回収機構によって回収されたパチンコ玉は、一旦、店全体規模で設けられているパチンコ玉管理システムに戻された後、再び、貯留部４への払い出しや玉の貸し出しに用いられる。」（段落【００４５】）、
　「・・・パチンコ装置は制御上、玉はじき機構３１、ダイヤル角度検出センサ３２と、入賞検出センサ７０と、絵柄検出センサ７１と、・・・変動表示部駆動部２１００と、変動入賞部２２１を作動させる変動入賞部駆動部２２１０と、・・・払出機構８０と、・・・装飾制御部２６００と、パチンコ装置全体を統括制御する制御部６と、を含んで構成されている。」（段落【００５６】）、
　「入賞検出センサ７０は、上記入賞部２２へのパチンコ玉の入賞を検知して、制御部６に知らせるためのものである。該入賞検出センサ７０は、個々の入賞部２２０，２２１，２２２毎に設けられ、制御部６への入力も独立的に行われている。そのため、制御部６は、いずれの入賞部（２２０，２２１，２２２）における入賞であるかを判別することができる。」（段落【００５８】）、
　「制御部６は、上記各部を統括制御するためのものであり、本実施例においては、マイクロコンピュータ、メモリ等の電気的回路と、該メモリに格納されている各種のプログラムとを含んで構成されている。・・・。」（段落【００５９】）、
　「・・・、制御部６は、判定の結果、絵柄が、大当たり、あるいは、中当たり、小当たりの配列となっていた場合には、それぞれ、変動入賞部２２１を所定時間、所定回数だけ開かせる機能を備えている。該時間、回数に関する情報は、制御部６が、予め備えている。変動入賞部２２１が一斉に開かれる回数および時間は、大当たり、中当たり、小当たり、の順に、多く（長く）されていることは言うまでもない。」（段落【００６３】）、
　「・・・、ソレノイドなどを含んで構成される変動入賞部駆動部２２１０、・・・は、制御部６からの指示に従って動作している。」（段落【００６５】）、
　「動作中、制御部６は、入賞検出センサ７０の出力状態を確認することによって入賞の有無を監視している（ステップ７００）。そして、入賞があった場合には、その入賞のあった入賞部の種類を判定して（ステップ７０２）、その種類に応じた処理を実行する。」（段落【００６７】）、
　「・・・、変動入賞部２２１への入賞であった場合には、制御部６は、装飾制御部２６００に対して効果音等を発生させるように指示を出す。また、払出機構駆８０に対しては、入賞の種類ごとに予め定められている個数のパチンコ玉を払い出すように指示を出す（ステップ７０４）。これに応じて、装飾制御部２６００は装飾部２６に効果音を発生させるなどする。・・・。」（段落【００６８】）、
　「ステップ７１０における判定の結果、大当たりとなっていれば、制御部６は、変動入賞部駆動部２２１０に指令を出力し、変動入賞部２２１を作動させる。これにより、変動入賞部２２１は、所定時間、所定回数だけ開かれて、この間の入賞率は飛躍的に向上することとなる（ステップ７１２）。判定の結果、中当たり、あるいは、小当たりとなっている場合も同様に、予め定められた時間、回数だけ変動入賞部２２１を開かせる（ステップ７１４，７１６）。この場合の、開く時間、回数は、大当たり、中当たり、小当たりの順に、長く（多く）条件設定されていることは、既に述べたとおりである。」（段落【００７１】）、
　「パチンコ装置の電源が投入されている間、制御部６は、該フローチャートに示した処理を実行しつづけている。」（段落【００７３】）、
　「・・・、専用の特別変動入賞部が不要であるため、パチンコ装置全体としてみた場合、機構の単純化を図ることができる。つまり、変動入賞部２２１自体は、従来から使用されているものであり、その制御プログラムおよびその設置位置を変更するだけで、容易に上記実施例の構成を実現することができる。これは、生産コストの低減、信頼性の向上につながる。」（段落【００８７】）、
　「上記実施例では、当たり状態（大当たり、中当たり、小当たり、はずれ）の違いを、変動入賞部２２１を開く時間、回数によって出していた。しかし、当たり状態に応じて、開かせる変動入賞部２２１を変えるようにしてもよい。例えば、”７７７７７”である場合には、すべての変動入賞部２２１を開かせる。”３７７７２”である場合には、３つの変動入賞部２２１を開かせるようにしてもよい。さらには、”７”の表示された表示桁と、開かせる変動入賞部２２１との位置を対応づけておくことも考えられる。例えば、”３７７７２”の場合には、変動入賞部２２１ｂ，２２１ｃ，２２１ｄのみを開かせる（図１０参照）。このような制御は、表示桁と、変動入賞部２２１との対応関係を定義した情報を予め制御部６内に用意しておけば容易に実現できる。・・・」（段落【００９１】）、
　「上記実施例では、変動入賞部２２１の配置を、隣あった変動入賞部２２１の”翼”がつながるように配置していた。しかし、変動入賞部２２１の配置はこれに限定されるものではない。個々の変動入賞部２２１がばらばらに離れて配置されていても、従来技術における特別変動入賞部２２３として機能しうる。」（段落【００９３】）、
　との記載が認められ、
　また、上記摘記事項および図６より、通常は、形態の変更を、パチンコ玉が一つ入賞する毎に行っており、図示しないソレノイドによって、行われるものである。従って、制御部６から指令を送ることによって、適宜、所望の変動入賞部２２１を、それぞれ独立的に、所望のタイミング、期間、回数だけ、入賞しやすい状態にすることができる構成となっている。そのため、変動表示部２１によって決定される”当たり状態”に応じて、すべての変動入賞部２２１が、一斉に、予め定められたタイミング、期間、回数だけ、入賞しやすい状態とする（当たり／はずれ処理）ように構成されていること（段落【００３８】）、パチンコ装置は制御上、変動入賞部２２１を作動させる変動入賞部駆動部２２１０と、パチンコ装置全体を統括制御する制御部６と、を含んで構成されていること（段落【００５６】）、ソレノイドなどを含んで構成される変動入賞部駆動部２２１０、は、制御部６からの指示に従って動作していること（段落【００６５】）、判定の結果、大当たりとなっていれば、制御部６は、変動入賞部駆動部２２１０に指令を出力し、変動入賞部２２１を作動させ、所定時間、所定回数だけ開かれて、中当たり、あるいは、小当たりとなっている場合も同様に、予め定められた時間、回数だけ変動入賞部２２１を開かせること（段落【００７１】）等から、パチンコ装置１は、制御部６と変動入賞部駆動部２２１０との間に、「変動入賞部駆動部２２１０が駆動されている間、駆動信号を出力するためのリード線」が設けられていると認められ、
　また、上記摘記事項および図６より、パチンコ装置は制御上、入賞検出センサ７０と、パチンコ装置全体を統括制御する制御部６とを含んで構成されていること（段落【００５６】）、入賞検出センサ７０は、入賞部２２へのパチンコ玉の入賞を検知して、制御部６に知らせるためのものであり、該入賞検出センサ７０は、個々の入賞部２２０，２２１，２２２毎に設けられ、制御部６への入力も独立的に行われている。そのため、制御部６は、いずれの入賞部（２２０，２２１，２２２）における入賞であるかを判別することができること（段落【００５８】）、動作中、制御部６は、入賞検出センサ７０の出力状態を確認することによって入賞の有無を監視して、入賞があった場合には、その入賞のあった入賞部の種類を判定して、その種類に応じた処理を実行すること（段落【００６７】）等から、パチンコ装置１は、制御部６と入賞検出センサ７０との間に、「入賞検出センサ７０による検知信号を出力するためのリード線」が設けられていると認められる。
　これらの記載から、引用例１には、
　
　「パチンコ玉が入る入賞孔を入賞しにくい形態から入賞しやすい形態へ遷移する変動入賞部駆動部２２１０を含む変動入賞部２２１と、
　該入賞孔に入るパチンコ玉を検知する入賞検出センサ７０と、
　を少なくとも備えたパチンコ装置１において、
　前記変動入賞部駆動部２２１０が駆動されている間、駆動信号を出力するためのリード線と、
　前記入賞検出センサ７０による検知信号を出力するためのリード線と、
　を備えたパチンコ装置１。」
　
との発明（以下「引用例１発明」という。）が開示されていると認めることができる。
　
　さらに、原査定の拒絶の理由に引用され本件出願前に日本国内において頒布された刊行物である特開平８−１８２８０５号公報（以下「引用例２」という。）には、図面とともに、
　「遊技部品(17)〜(23)を有する遊技盤(7) と、この遊技盤(7)の上部に遊技球を発射する発射手段(50)と、入賞時に遊技球を払い出す球払い出し手段(57)とを備えた弾球遊技機において、予め定められた所定の条件を満足した時に作動する作動手段(14)(22)(23)(103)(104)(105) を備え、この作動手段(14)(22)(23)(103)(104)(105) の作動情報を外部に伝達する外部接続端子(74)〜(80)を設けたことを特徴とする弾球遊技機の制御装置。」（特許請求の範囲、【請求項１】）、
　「作動手段として、所定の条件を満足した時に作動する入賞手段(22)(23)を備え、この入賞手段(22)(23)が作動した時の作動情報を外部に伝達する外部接続端子(77)(78)を設けた・・・弾球遊技機の制御装置。」（特許請求の範囲、【請求項３】）、
　「・・・、パチンコ機等の弾球遊技機を多数設置した遊技ホールでは、各弾球遊技機からの情報をコンピュータ等の外部機器に伝達し、またコンピュータ等の外部機器からの情報を各弾球遊技機に伝達して、各弾球遊技機の状態、例えば賞球タンクへの遊技球の補給の要否、球払い出し手段が賞球として払い出す遊技球の個数等の全てをコンピュータ等により一元的に把握し、営業管理、或いは各弾球遊技機の管理に供することが考えられている。」（段落【０００４】）、
　「・・・、従来は、・・・補給情報、・・・発射制御情報等を授受する外部接続端子を裏機構板の分配基板等に設け、この外部接続端子にコンピュータ等の外部機器からのリード線を接続するようにしている。」（段落【０００５】）、
　「【発明が解決しようとする課題】遊技ホールにおいて、各弾球遊技機毎に、その遊技盤側に装着された各作動手段が作動した時の作動情報、例えば・・・、普通電動役物、特別電動役物等の入賞手段の作動回数を確実に把握できれば、その他の情報と合わせて遊技ホールの営業管理、或いは遊技盤の釘調整の要否管理等、各弾球遊技機を容易に管理することができ、遊技ホールを運営し管理する上で非常に便利である。」（段落【０００６】）、
　「・・・、従来の弾球遊技機では、補給情報、発射制御情報を授受するための外部接続端子を設けているが、遊技盤側の・・・図柄確定情報、入賞手段が作動した時の作動情報等を外部に伝達する外部接続端子は設けられていない。・・・。本発明は、かかる従来の課題に鑑み、遊技盤等に装着された作動手段の作動情報を外部に容易に取り出すことができる弾球遊技機の制御装置を提供することを目的とする。」（段落【０００７】）、
　「【実施例】・・・。図１及び図２において、1 はパチンコ機本体（遊技機本体）で、このパチンコ機本体1 は・・・外枠2 と、・・・前枠4 とにより構成されている。前枠4 には遊技盤装着用の窓孔に対応してガラス扉4a及び前面板5 が開閉自在に装着され、これらの後側に・・・遊技盤7 が着脱自在に装着されている。」（段落【００１６】）、
　「遊技盤7 の前面には、図３に示すように、・・・、始動口18,19 、入賞口20,35,36、始動ゲート21、大入賞手段22、開閉型の特別入賞手段23、・・・等の各遊技部品が夫々装着されている。」（段落【００１８】）、
　「・・・。大入賞手段22は、左右一対の開閉爪28を備えたチューリップ式の作動型であって、ソレノイド29が励磁した時の開閉爪28が開くようになっている。」（段落【００１９】）、
　「特別入賞手段23は、図４にも示すように、横軸廻りに開閉自在に枢支され且つ開放時に遊技盤7 の上側から落下する遊技球を内部に案内する開閉板30と、この開閉板30を開閉駆動するソレノイド31と、特別作動領域32に入った遊技球を検出する特別作動領域検出スイッチ33とを備え、変動図柄表示手段14の各図柄表示部25,26,27の停止図柄が所定の当たり図柄の組み合わせとなった時に、ソレノイド31が励磁して開閉板30が開放するようになっている。」（段落【００２０】）、
　「・・・、この特別入賞手段23は、開閉板30の開放中に、その内部の特別作動領域32に入った遊技球を特別作動領域検出スイッチ33が検出すれば、その開放終了後に再度開閉板30が開くようになっている。」（段落【００２１】）、
　「遊技盤7 の後側には、図４及び図５に示すように、入賞口20,35,36、始動口18,19 、大入賞手段22に入球して遊技盤7 の裏側に通過した遊技球を下方に案内する複数個の案内通路37〜40と、中継基板41と、これらを覆う裏カバー42とが装着され、この裏カバー42に遊技盤基板43と・・・制御基板45とが取り付けられている。」（段落【００２２】）、
　「案内通路38,39 には、始動口18,19 に入球して遊技盤7 の裏側に通過した遊技球を検出する始動検出スイッチ46,47 が、また始動ゲート21には通過する遊技球を検出する始動検出スイッチ48が夫々取り付けられている。案内通路40には、大入賞手段22に入球して遊技盤7 の裏側に通過した遊技球を検出する入賞検出スイッチ48が取り付けられ、この入賞検出スイッチ48で、大入賞手段22に入球する遊技球を１０個まで計数するようになっている。」（段落【００２３】）、
　「遊技盤基板43の後側には、図５及び図６に示すように、図柄作動情報用の外部接続端子74、図柄確定情報用の外部接続端子75、当たり情報用の外部接続端子76、特別入賞手段23の作動情報用の外部接続端子77、大入賞手段22の作動情報用の外部接続端子78、権利発生情報用の外部接続端子79及び確率変動情報用の外部接続端子80が適当な配列で設けられている。」（段落【００３０】）、
　「分配基板56の後側には、図７及び図８に示すように、補給切れ検出スイッチ64からの補給情報用の外部接続端子81、発射手段50の発射モータ53への発射制御情報用の外部接続端子82、球切れ検出スイッチ65からの球切れ情報用の外部接続端子83、入賞球検出スイッチ87からの入賞球情報用の外部接続端子84、アウト球検出スイッチ71からのアウト球情報用の外部接続端子85、賞球検出スイッチ68からの賞球情報用の外部接続端子86が適当な配列で設けられている。」（段落【００３１】）、
　「制御基板45は、コネクタ106 、リード線107 及びコネクタ108 を介して中継基板41に接続されると共に、図外のリード線、コネクタ等を介して遊技盤基板43に接続されており、乱数判定手段101 からの図柄確定情報が外部接続端子75に、変動処理手段102 からの図柄作動情報が外部接続端子74に、当たり判定手段103 からの当たり情報が外部接続端子76に、特別入賞手段23からの作動情報が外部接続端子77に、大入賞手段22からの作動情報が外部接続端子78に、権利状態発生手段104 からの権利発生情報が外部接続端子79に、確率変動手段105 からの確率変動情報が外部接続端子80に夫々送られるようになっている。」（段落【００４１】）、
　「各外部接続端子74〜86はコネクタ、リード線等を介してコンピュータ等の外部機器に接続され、各外部接続端子74〜86からの各情報を各パチンコ機毎に集計して、各パチンコ機からの各情報の発生回数等を演算するようになっている。」（段落【００４２】）、
　「始動ゲート21を遊技球が通過すると、変動図柄表示手段14の作動及びこれに付随する各手段の作動に伴って、次のような各情報が各外部接続端子74〜80から外部のコンピュータへと送られて行く。」（段落【００５２】）、
　「・・・、乱数判定手段101 で乱数を判定すると、その判定乱数に応じて停止図柄が確定するので、この乱数判定手段101 から図柄確定情報が遊技盤基板43の外部接続端子75に送られ、この外部接続端子75からリード線等を経て外部のコンピュータに図柄確定情報が伝達される。そして、コンピュータでは、この図柄確定情報を集計して、そのパチンコ機における各図柄の発生状況、比率等を算出し記憶する。」（段落【００５３】）、
　「乱数判定手段101 での乱数の判定結果がでれば、その判定乱数に応じて変動処理手段102 が変動処理を行って変動図柄表示手段14を作動させる。この時、変動図柄表示手段14が作動する旨の図柄作動情報が変動処理手段102 から遊技盤基板43の外部接続端子74に送られ、この外部接続端子74からリード線等を経て外部のコンピュータに図柄作動情報が伝達される。そして、コンピュータでは、この図柄作動情報を集計して、そのパチンコ機における変動図柄表示手段14の作動回数を算出し記憶する。」（段落【００５４】）、
　「当たり判定手段103 が当たりを判定すると、その当たり情報が当たり判定手段103 から遊技盤基板43の外部接続端子76に送られ、この外部接続端子76からリード線等を経て外部のコンピュータに当たり情報が伝達される。そして、コンピュータでは、この当たり情報を集計して、そのパチンコ機における当たりの発生回数、発生時間、変動図柄表示手段14の作動回数に対する当たりの発生率等を算出し記憶する。」（段落【００５５】）、
　「特別入賞手段23が作動して開放すると、この特別入賞手段23から作動情報が遊技盤基板43の外部接続端子77に送られ、この外部接続端子77からリード線等を経て外部のコンピュータに作動情報が伝達される。そして、コンピュータでは、この作動情報を集計して、そのパチンコ機における特別入賞手段23の作動回数、作動時間等を算出し記憶する。」（段落【００５６】）、
　「権利状態発生手段104 が作動して権利状態が発生すると、この権利状態発生手段104 から権利発生情報が遊技盤基板43の外部接続端子79に送られ、この外部接続端子79からリード線等を経て外部のコンピュータに権利発生情報が伝達される。そして、コンピュータでは、この権利発生情報を集計して、そのパチンコ機における権利発生回数、発生時間、当たり発生回数に対する権利発生率等を算出し記憶する。」（段落【００５７】）、
　「権利状態発生手段104 の作動後に始動口18,19 に遊技球が入賞して大入賞手段22が作動すると、この大入賞手段22から作動情報が遊技盤基板43の外部接続端子78に送られ、この外部接続端子78からリード線等を経て外部のコンピュータに作動情報が伝達される。コンピュータでは、この作動情報を集計して、そのパチンコ機における大入賞手段22の作動回数、作動時間等を算出し記憶する。」（段落【００５８】）、
　「入賞球検出スイッチ87がその入賞球を検出すると、その入賞球情報が分配基板56の外部接続端子84を介してコンピュータ等の外部機器に送られ、コンピュータ等で入賞球の個数を計数する。賞球タンク55の遊技球が減って補給切れとなった時には、補給切れ検出スイッチ64が働いて分配基板56の外部接続端子81を経て外部の補給手段に補給信号を送り、補給手段が作動して賞球タンク55に遊技球を自動的に補給する。」（段落【００６０】）、
　「賞球タンク55の遊技球が切れると、球切れ検出スイッチ65がその球切れを検出して、球切れ表示灯を点灯させる。またその球切れ情報が分配基板56の外部接続端子83を介してコンピュータ等の外部機器に送られる。ゲーム中に遊技者の不正行為等があって、外部のコンピュータ等からの発射停止指令があると、その発射停止指令が分配基板56の外部接続端子82に入力されるので、三方枠基板51、発射制御基板54等を介して発射モータ53に停止信号が送られて、発射モータ53を自動的に停止させる。」（段落【００６１】）、
　「・・・遊技盤7 側に装着された変動図柄表示手段14等に関係する外部接続端子74〜80が、裏カバー42に固定された遊技盤基板43にあるので、ゲーム内容に応じてその外部接続端子74〜80の端子数が変わるような場合でも、必要な数の外部接続端子74〜80を遊技盤基板43に設ければ良く、別段、問題はない。・・・。」（段落【００６５】）、
　「パチンコ機全体を・・・保守点検をする場合等に着脱するのみで、遊技盤7 の交換時にはリード線のコネクタを着脱する必要のない分配基板56側の各外部接続端子81〜86は、裏機構板49の上部でヒンジ3 側の隅部に配置している。・・・。」（段落【００６７】）、
　「・・・、前枠4 側に装着された球払い出し手段57、発射手段50等に関係する外部接続端子81〜86と、遊技盤7 側に装着された変動図柄表示手段14に関係する外部接続端子74〜80とを分離して、前者の外部接続端子81〜86を裏機構板49の分配基板56に、後者の外部接続端子74〜80を裏カバー42の遊技盤基板43に夫々設けているので、パチンコ機全体を交換して、その各外部接続端子74〜86に島側の各リード線のコネクタを接続する場合にも、各外部接続端子74〜86と各リード線のコネクタとの対応関係を容易に判断することができ、接続ミスの発生を防止できる。」（段落【００６８】）、
　「・・・各外部接続端子74〜86と各リード線又はそのコネクタは、色等を代えて対応関係を容易に判断し区別できるようにしているが、分配基板56側と遊技盤基板43側とに分けているので、その色等で区別する場合の種類数も少なくできる。以上、本発明の実施例について説明したが、本発明は実施例に限定されるものではない。」（段落【００６９】）、
　「例えば、所定の条件を満足した時に作動する作動手段として、実施例では、変動図柄表示手段14、特別入賞手段23、権利状態発生手段104 、大入賞手段22、確率変動手段105 を例示しているが、これらの一部でも良いし、またこれら以外の入賞手段等でも良い。」（段落【００７０】）、
　「・・・、実施例では、変動図柄表示手段14の図柄確定情報を乱数判定手段101 から取り出し、変動図柄表示手段14の図柄作動情報を変動処理手段から取り出すようにしているが、図柄確定情報及び図柄作動情報は、変動図柄表示手段14を直接制御する制御部又は変動図柄表示手段14自体から取り出すように構成しても良い。」（段落【００７１】）、
　「【発明の効果】・・・弾球遊技機において、予め定められた所定の条件を満足した時に作動する作動手段14,22,23,103,104,105を備え、この作動手段14,22,23,103,104,105の作動情報を外部に伝達する外部接続端子74〜80を設けているので、作動手段14,22,23,103,104,105の作動情報を外部に容易に取り出すことができる。従って、この作動情報から弾球遊技機の作動手段14,22,23,103,104,105の作動状況を容易に把握できる等、弾球遊技機を管理する上で非常に便利である。」（段落【００７３】）、
　「・・・図柄確定情報を外部に伝達する外部接続端子75を設けているので、変動図柄表示手段14の図柄確定情報を外部に取り出して、その図柄確定情報を容易に把握することができる。」（段落【００７４】）、
　「・・・、作動手段として、所定の条件を満足した時に作動する入賞手段22,23 を備え、この入賞手段22,23 が作動した時の作動情報を外部に伝達する外部接続端子77,78 を設けているので、入賞手段22,23 の作動情報を外部に取り出して、その作動情報を容易に把握することができる。」（段落【００７５】）、
　「・・・権利発生情報を外部に伝達する外部接続端子79を設けているので、権利状態発生手段104 の権利発生情報を外部に取り出して、その権利発生情報を容易に把握することができる。」（段落【００７６】）、
　
　との記載が認められ、これらの記載によれば、引用例２には、
　
　「大入賞手段22と、入賞球検出スイッチ87とを少なくとも備えた弾球遊技機において、
　前記大入賞手段22が作動すると、作動されていることを外部に伝達する作動情報を出力するための作動情報用の外部接続端子78と、
　前記入賞球検出スイッチ87による入賞球情報を出力するための入賞球情報用の外部接続端子84と、
　前記作動情報用の外部接続端子78が設けられた遊技盤基板43と、入賞球情報用の外部接続端子84が設けられた分配基板56と、
　を備えた弾球遊技機。」
　
との発明（以下「引用例２発明」という。）が開示されていると認めることができる。
　
３．対比
　そこで、本願発明と引用例１発明とを対比すると、引用例１発明の「パチンコ玉」、「入る」、「入賞孔」、「入賞しにくい形態から入賞しやすい形態へ遷移する」、「変動入賞部駆動部２２１０」、「変動入賞部２２１」、「入賞検出センサ７０」および「パチンコ装置１」は、本願発明における「遊技球」、「入球する」、「入球口」、「さらに拡大する」、「電気的駆動手段」、「電動役物」、「検知手段」および「遊技機」にそれぞれ相当すると認められる。したがって、両者は、
　
　「遊技球が入球する入球口をさらに拡大する電気的駆動手段を含む電動役物と、
　該入球口に入球する遊技球を検知する検知手段と、
　を少なくとも備えた遊技機。」
　
である点で一致し、以下の点で相違している。
　
　相違点：本願発明では、「電気的駆動手段が駆動されている間、駆動されていることを知らせる駆動信号を出力するための駆動信号出力用接続端子と、検知手段による検知信号を出力するための検知信号出力用接続端子と、前記駆動信号出力用接続端子及び検知信号出力用接続端子とが固定された外部接続端子基板とを備えた」ものであるのに対し、引用例１発明では、複数の外部接続端子および複数の外部接続端子を固定する外部接続端子基板を備えているのか明らかでなく、さらに、本願発明のように２つの外部接続端子の用途を特定するという構成も記載されていない点。
　
４．判断
　上記相違点について検討すると、引用例１発明は、パチンコ装置１に検査試験等のための外部接続手段があるのかないのか不明ではあるものの、検査試験等をするためには何らかの接続部を設けることは技術常識であり、また、一般的に、パチンコ遊技機は、各種の法規則の規格に合格しなければ出荷することができず、出荷前の検査試験を行うために検査装置と接続する外部接続手段をパチンコ遊技機側に設けることが周知｛例えば、特開平１１−４３６号公報（段落【０００２】、【００２３】等、図４等）、特開平１０−３０９３６６号公報（段落【００６８】、【００８７】【００８８】等、図５等）参照。｝である。そして、本出願前すでに知られている前記引用例２発明には、大入賞手段22が作動すると、作動されていることを外部に伝達する作動情報を出力するための作動情報用の外部接続端子78と、入賞球検出スイッチ87による入賞球情報を出力するための入賞球情報用の外部接続端子84と、前記作動情報用の外部接続端子78が設けられた遊技盤基板43と、入賞球情報用の外部接続端子84が設けられた分配基板56と、を備えた弾球遊技機が記載されている。すなわち、引用例２発明と本願発明との対応関係について、引用例２発明の「大入賞手段22が作動すると」、「作動されていることを外部に伝達する」、「作動情報」、「作動情報用の外部接続端子78」、「入賞球検出スイッチ87」、「入賞球情報」、「入賞球情報用の外部接続端子84」、「遊技盤基板43と分配基板56」および「弾球遊技機」は、本願発明における「電気的駆動手段が駆動されている間」、「駆動されていることを知らせる」、「駆動信号」、「駆動信号出力用接続端子」、「検知手段」、「検知信号」、「検知信号出力用接続端子」、「外部接続端子基板」および「遊技機」にそれぞれ相当すると認められる。これらのことを考慮すると、引用例１発明に引用例２発明を付加して、本願発明のように構成することに、格別の創意工夫を要するとはいえず、またその際に、外部接続端子によって信号の種類を特定したり、信号の種類の違う複数の外部接続端子を固定する外部接続端子基板を設けることも周知｛例えば、特開平８−３３２２７２号公報（段落【００２９】、【００５３】等、図３等）、特開平６−１４２２８４号公報（段落【００２５】、【００２８】等、図２等）参照。｝であるから、引用例１発明および引用例２発明に前記周知の技術を適用して、本願発明の前記相違点に係る構成を採用することは当業者が必要に応じて適宜なし得る程度の設計的事項である。
　
　そして、本願発明が上記構成を採ることによりもたらされる効果は、引用例１発明、引用例２発明および周知技術から当業者が予測できる範囲内のものであって格別のものとは認められない。
　
５．むすび
　以上のとおりであるから、本願発明は、引用例１発明、引用例２発明および周知技術に基づいて、当業者が容易に発明できたものと認められるから、他の請求項について検討するまでもなく、特許法第２９条第２項の規定により特許を受けることができない。
　
　よって、結論のとおり審決する。